(57)【特許請求の範囲】
【請求項１】
カーテンエアバッグ装置を備えた車両の内装構造であって、
車両の室内の天井を覆うルーフトリムと、
このルーフトリムよりも硬質な合成樹脂材料で形成されルーフトリムの下方に配置されたピラートリムと、
このピラートリムの上方のルーフトリム内で車体に取り付けられた衝撃吸収部材と、
車両の前後方向に延びて前記ルーフトリムの上方に収容されたカーテンエアバッグ及びこのカーテンエアバッグにガスを供給するインフレータを備えるカーテンエアバッグ装置と、を有し、
前記カーテンエアバッグは、収納状態で、その車両後方側端部を車両前方側に向けて折り曲げた折曲部を有し、
前記インフレータのガス導入口がこの折曲部よりも車両前方側に形成され、
前記衝撃吸収部材は、車両前方側から内部に挿入された前記カーテンエアバッグの前記折曲部を保持する保持構造を備えており、
前記カーテンエアバッグを車体と連結する連結部材を備え、この連結部材は、一端が前記カーテンエアバッグの前記折曲部又はその近傍に固定され、他端が前記ピラーに固定され、前記衝撃吸収部材の前記保持構造の車両前方側に配置されており、さらに、カーテンエアバッグを車両前後方向に引っ張るようになっており、
前記衝撃吸収部材は、前記カーテンエアバッグの膨張展開時における前記連結部材の車室内側への移動を規制する規制部材を備えていることを特徴とする車両の内装構造。
【請求項２】
前記カーテンエアバッグの前記折曲部は、前記カーテンエアバッグの前記車両後方側端部を上方に折り曲げて形成されている請求項１に記載の車両の内装構造。
【発明の詳細な説明】
【技術分野】
【０００１】
本発明は、車両の内装構造に関し、特に、ルーフトリム内に配置されたカーテンエアバッグ装置を有する車両の内装構造に関する。
【背景技術】
【０００２】
従来から、例えば、特許文献１に記載されているように、車両の側突時にフロントシート及びリアシートに着座している乗員を保護するために、車両のサイドウィンドウを覆うように膨張展開するカーテンエアバッグ装置を備えた車両の内装構造が知られている。このようなカーテンエアバッグ装置を用いた車両の内装構造では、乗員をより確実に保護するために、カーテンエアバッグの車両前後方向の長さを長くすることが望ましい。
【先行技術文献】
【特許文献】
【０００３】
【特許文献１】特開２００４−３１４７８６号公報
【発明の概要】
【発明が解決しようとする課題】
【０００４】
しかしながら、カーテンエアバッグの車両前後方向の長さを長くしようとすると、カーテンエアバッグを前後方向に延ばしての車両後方側端部を、より車両後方側に配置するか、又は比較的硬質なリアピラー内部に配置する必要がある。そして、カーテンエアバッグの車両後方側端部を、より車両後方側に配置しようとしても、ピラートリムの上方に配置された、側突時に乗員の頭部を保護するためのヘッドインパクト等の衝撃吸収部材と干渉してしまう。また、カーテンエアバッグの車両後方側端部をリアピラー内部に配置すると、カーテンエアバッグの膨張展開時に、カーテンエアバッグは硬質なリアピラーを変形させながら膨張展開する必要があり、膨張展開の性能が低下してしまう。
【０００５】
そこで本発明は、上述した問題点を解決するためになされたものであり、カーテンエアバッグの車両前後方向の長さを確保しながら、カーテンエアバッグをスムーズに膨張展開させることができる車両の内装構造を提供することを目的とする。
【課題を解決するための手段】
【０００６】
上述した課題を解決するために、本発明は、カーテンエアバッグ装置を備えた車両の内装構造であって、車両の室内の天井を覆うルーフトリムと、このルーフトリムよりも硬質な合成樹脂材料で形成されルーフトリムの下方に配置されたピラートリムと、このピラートリムの上方のルーフトリム内で車体に取り付けられた衝撃吸収部材と、車両の前後方向に延びてルーフトリムの上方に収容されたカーテンエアバッグ及びこのカーテンエアバッグにガスを供給するインフレータを備えるカーテンエアバッグ装置と、を有し、カーテンエアバッグは、収納状態で、その車両後方側端部を車両前方側に向けて折り曲げた折曲部を有し、インフレータのガス導入口がこの折曲部よりも車両前方側に形成され、衝撃吸収部材は、車両前方側から内部に挿入されたカーテンエアバッグの折曲部を保持する保持構造を備えており、カーテンエアバッグを車体と連結する連結部材を備え、この連結部材は、一端がカーテンエアバッグの折曲部又はその近傍に固定され、他端がピラーに固定され、衝撃吸収部材の保持構造の車両前方側に配置されており、さらに、カーテンエアバッグを車両前後方向に引っ張るようになっており、衝撃吸収部材は、カーテンエアバッグの膨張展開時における連結部材の車室内側への移動を規制する規制部材を備えていることを特徴とする。
【０００７】
このように構成された本発明によれば、カーテンエアバッグの車両後方側端部を車両前方側に折り曲げて折曲部を形成することで、膨張展開状態のカーテンエアバッグの車両前後方向の長さを、収納状態よりも長くすることができる。また、これと同時に、カーテンエアバッグの折曲部をピラートリムの上方に配置された衝撃吸収部材によって安定して保持することができる。また、保持構造によって、折曲部を車両前方側から挿入して保持することができる。このようにカーテンエアバッグを保持した状態で、折曲部よりも車両前方側の導入口からカーテンエアバッグにガスを供給して、カーテンエアバッグを導入口付近から膨張展開させると、カーテンエアバッグの車両後方側端部近傍は、膨張展開した導入口付近のカーテンエアバッグの部分によって、衝撃吸収部材の保持構造から車両前方側に向けて引っ張り出される。これにより、衝撃吸収部材がカーテンエアバッグの膨張展開を妨げるのを防止することができる。
また、このように構成された本発明によれば、連結部材を用いてカーテンエアバッグを車体と連結し、さらにカーテンエアバッグを車両の前後方向に引っ張ることができる。これによりカーテンエアバッグが膨張展開する際に、カーテンエアバッグの位置及び形状を適切に維持することができる。また、連結部材を衝撃吸収部材の保持構造の車両前方側に配置することにより、連結部材と衝撃吸収部材が干渉するのを防止することができる。
また、このように構成された本発明によれば、規制部によって、カーテンエアバッグの膨張展開時に連結部材が車室側へ移動するのを規制することができ、これにより、カーテンエアバッグが膨張展開する際に、カーテンエアバッグの位置及び形状を適切に維持することができる。
【０００８】
また、本発明において好ましくは、カーテンエアバッグの折曲部は、カーテンエアバッグの車両後方側端部を上方に折り曲げて形成されている。
【０００９】
このように構成された本発明によれば、カーテンエアバッグの折曲部が、この折曲部よりも車両前方側にあるカーテンエアバッグの一部と重複した状態で、衝撃吸収部材によってカーテンエアバッグを保持することができる。これにより衝撃吸収部材の車幅方向の厚さが広がるのを防止することができる。また、折曲部を上方に折り曲げて、カーテンエアバッグの車両後方側端部よりも車両前方側にあるカーテンエアバッグの一部と上下方向に重複した状態とすることにより、カーテンエアバッグの膨張展開時にカーテンエアバッグの車両後方側端部が衝撃吸収部材に引っ掛かるのを防止することができる。
【発明の効果】
【００１４】
以上のように本発明によれば、カーテンエアバッグの車両前後方向の長さを確保しながら、カーテンエアバッグをスムーズに膨張展開させることができる。
【図面の簡単な説明】
【００１５】
【図１】本発明の実施形態による内装構造を備える車室の側面図である。
【図２】本発明の実施形態による内装構造を備える車両における、ルーフトリム及びピラートリムを取り外した状態の車室の側面図である。
【図３】本発明の実施形態による衝撃吸収部材を示す側面図である。
【図４】本発明の実施形態による衝撃吸収部材を車両前方側から見た斜視図である。
【図５】本発明の実施形態による衝撃吸収部材を下方側から見た斜視図である。
【発明を実施するための形態】
【００１６】
以下、図面を参照して、本発明の実施形態による車両の内装構造について説明する。
【００１７】
まず、図１により、本実施形態による車両の内装構造の基本構造を説明する。図１は車室の側面図である。図１に示すように、車両１は、車室内に配置されたフロントシート３とリアシート５とを備える。
【００１８】
また、車両１は、車室の天井を構成するルーフ７と、このルーフ７を支持するためのフロントピラー９、センターピラー１１、及びリアピラー１３を備え、これらによって車室を形成する。フロントピラー９は、フロントシート３よりも車両前側に配置され、センターピラー１１は、フロントシート３とリアシート５との間に配置され、さらにリアピラー１３は、リアシート５の車両後側に配置される。またルーフ７は、ルーフトリム１５によって覆われており、さらにフロントピラー９、センターピラー１１及びリアピラー１３は、各々、ピラートリム１７，１９，２１によって覆われている。
【００１９】
ピラートリム１７，１９，２１は、乗員による荷物の出し入れの際に荷物が当たっても破損しない等のために、比較的硬質な合成樹脂材で作られている。一方、ルーフトリム１５は、ピラートリム１７，１９，２１と比較して荷物が当たる頻度が低い等の理由により、ピラートリム１７，１９，２１よりも軟質な材料で作られている。
【００２０】
また、車両は、ルーフトリム１５内に配置されたカーテンエアバッグ装置２３を備える。
【００２１】
図２は、ルーフトリム及びピラートリムを取り外した状態の車室の側面図である。図２に示すように、カーテンエアバッグ装置２３は、フロントピラー９からリアピラー１３付近まで延びるルーフサイドレール２５に取り付けられている。さらに、リアピラー１３の上方におけるルーフトリム１５の内側には、車両の側突時に乗員の頭部を保護するための、合成樹脂製の衝撃吸収部材２７が取り付けられている。
【００２２】
カーテンエアバッグ装置２３は、カーテンエアバッグ２９と、このカーテンエアバッグ２９にガスを供給するインフレータ３１とを備える。カーテンエアバッグ２９は、フロントピラー９からリアピラー１３までの長さにほぼ相当する前後方向の長さを有し、また、車室のルーフ７からサイドウィンドウの下端までの長さにほぼ相当する高さ方向の長さを有する。そしてカーテンエアバッグ２９は、蛇腹状に折り畳まれ、複数箇所に設けられたテープ部材３３によって保持され、この状態でルーフサイドレール２５に沿って収容される。カーテンエアバッグ２９は、複数の取付ブラケット３５を介して車体に固定される。また、カーテンエアバッグ２９のセンターピラー１１近傍には、インフレータ３１からのガスが導入される導入部３７が設けられている。
【００２３】
インフレータ３１は、カーテンエアバッグ２９の上方に配置され、車両の衝突時に制御装置（図示せず）から入力される起爆信号に応じてカーテンエアバッグ２９にガスを供給するようになっている。そしてカーテンエアバッグ２９は、膨張展開後に、鎖線で示すように、サイドウィンドウを覆うような形状となり、乗員を保護する。
【００２４】
また、カーテンエアバッグ２９は、フロントピラー９の延伸方向に沿って配設されたフロントテザー３９と、リアピラー１３の延伸方向に沿って配設されたリアテザー４１とを備える。フロントテザー３９は、一端が取付ブラケット３５を介してフロントピラー９に固定され、他端がカーテンエアバッグ２９の車両前方側端部近傍に固定されている。また、リアテザー４１は、一端が取付ブラケット３５を介してリアピラー１３に固定され、他端がカーテンエアバッグ２９に固定されている。これらフロントテザー３９とリアテザー４１は、カーテンエアバッグ２９の膨張展開時にカーテンエアバッグ２９を車両前後方向に引っ張り、その展開形状を維持するようになっている。
【００２５】
また、カーテンエアバッグ２９の車両後方側端部４３は車両前方に向けて折り曲げられ、これにより、カーテンエアバッグ２９の車両後方側端部近傍に折曲部４５が形成される。この折曲部４５は、蛇腹状に折り畳まれたカーテンエアバッグ２９の車両後方側端部４３を上側に折り曲げて、カーテンエアバッグ２９の車両後方側端部４３を、それよりも車両前方側にあるカーテンエアバッグ２９の上に載せるようにして形成される。これにより、カーテンエアバッグ２９の車両後方側端部４３とその近傍が、カーテンエアバッグの一部と上下方向に重複した折曲部４５が形成される。そして折曲部４５の周囲にも、この折曲部４５の形状を保持するためのテープ部材３３が巻き付けられている。そしてこの折曲部４５は、リアピラー１３の上方で車体に固定された衝撃吸収部材２７内に収容される。
【００２６】
図３は、衝撃吸収部材を示す側面図であり、図４は、この衝撃吸収部材を車両前方側から見た斜視図であり、図５は、衝撃吸収部材を下側から見た斜視図である。尚、以下の衝撃吸収部材の構成の説明では、衝撃吸収部材を車体に取り付けた状態で特定される方向を用いるものとする。
【００２７】
図３及び図４に示すように、衝撃吸収部材２７は、内部に、カーテンエアバッグ２９の折曲部４５を収容するための収容部４７を有し、この収容部４７は、上壁４９、下壁５１、及び衝撃吸収部材２７の車両後方部分を構成する後端部分５３によって囲まれた空間で構成される。上壁４９及び下壁５１の車両前方端部は、車幅方向外側の位置で上下方向に延びる上下連結部材５５によって連結されている。そして、上壁４９、下壁５１、及び後端部分５３は、車幅方向に所定の厚さを有し、車両が側突して乗員の頭部が当たった際に、その衝撃を吸収するようになっている。このような衝撃吸収部材２７は、車幅方向外方に突出する固定爪５７を、ルーフ７のインナー部分の取付面に形成された固定孔（図示せず）に差し込むことで車体に固定される。
【００２８】
また、衝撃吸収部材２７の車両前方側には、カーテンエアバッグ２９の折曲部４５を受け入れるための開口５９が形成されており、カーテンエアバッグ２９の折曲部４５は、この開口５９を通って収容部４７に入れられる。さらに、収容部４７を規定する下壁５１の車幅方向内側には、収容部４７内に収容されたカーテンエアバッグ２９の折曲部４５を収容部４７内に保持するための保持爪６１が設けられている。この保持爪６１は、下壁５１から垂直方向に延びる。そして本発明の実施形態にかかる衝撃吸収部材２７では、この開口５９、保持爪６１、及び収容部４７が、カーテンエアバッグ２９の折曲部４５を保持する保持構造として機能する。
【００２９】
また、図３乃至５に示すように、衝撃吸収部材２７は、リアテザー４１の車室内方向への移動を規制するための規制部材６３を備える。この規制部材６３は、下壁５１の車両前方側端部の車両前方側に設けられ、ルーフ７のインナー部分の衝撃吸収部材２７の取付面と平行して、リアテザー４１の延伸方向に沿って延びる壁によって構成される。このような規制部材６３と、ルーフのインナー部分の取付面との間には、リアテザー４１が通る通路６５が形成される。そしてリアテザー４１は、この通路６５を通ってカーテンエアバッグ２９の折曲部４５又はその近傍に固定される。そして規制部材６３は、カーテンエアバッグ２９の膨張展開時にリアテザー４１が車室方向に移動するのを規制する。
【００３０】
そしてこのような衝撃吸収部材２７を用いることにより、側突時に乗員の頭部を保護すると同時に、カーテンエアバッグ２９の車両後方側端部の折曲部４５を、リアピラー１３の上方で安定して保持することができる。また、カーテンエアバッグ２９は、布製であるため、衝撃吸収部材２７の収容部４７に収容されたカーテンエアバッグ２９の折曲部４５は、カーテンエアバッグ２９が膨張展開しない軽度の側突時などに、乗員の頭部などが衝撃吸収部材２７に当たった際の衝撃吸収部材２７の衝撃吸収性能に悪影響を与えることがない。
【００３１】
次に、上述の構成を有する内装構造の作用及び効果について詳述する。
【００３２】
衝撃吸収部材２７の車両前方側に開口５９を設けて、この開口５９を通ってカーテンエアバッグ２９の折曲部４５を衝撃吸収部材２７の収容部４７に入れることによって、カーテンエアバッグ２９の膨張展開時に、衝撃吸収部材２７がカーテンエアバッグ２９の膨張展開を妨げないようになっている。具体的には、車両１が側突すると制御装置がこれを検出して、インフレータ３１に起爆信号を入力する。これにより、インフレータ３１が起爆してカーテンエアバッグ２９へのガスの供給を開始する。このとき、インフレータ３１からのガスの導入部３７がセンターピラー１１付近に形成されているため、カーテンエアバッグ２９は、導入部３７に最も近い中央部から膨張展開を開始する。そしてカーテンエアバッグ２９の中央部が膨張展開を開始すると、カーテンエアバッグ２９は、先ず、カーテンエアバッグ２９の中央部がその下方にあるルーフトリム１５を変形させながら下向きに膨張展開する。そしてこれにより、カーテンエアバッグ２９の車両後方側端部４３を含む折曲部４５は、車両前方側に引っ張られる。これによりカーテンエアバッグ２９の折曲部４５は、衝撃吸収部材２７に干渉されることなく、車両前方側に移動して、開口５９を通って衝撃吸収部材２７の外に出る。そして、ガスがカーテンエアバッグ２９の車両後方側端部４３近傍に到達すると、ガス圧によって折曲部４５を囲むテープ部材３３が破断して、カーテンエアバッグ２９の車両後方側端部４３近傍も膨張展開する。そしてこのとき、折曲部４５は、ピラートリム２１よりも軟質なルーフトリム１５内に配置されているため、カーテンエアバッグ２９の車両後方側端部４３近傍の膨張展開時には、カーテンエアバッグ２９は、軟質なルーフトリム１５を変形させながら膨張展開する。
【００３３】
このように本発明の実施形態にかかる車両の内装構造によれば、カーテンエアバッグ２９の車両後方側端部４３近傍に、カーテンエアバッグ２９の折曲部４５を形成して、膨張展開した状態のカーテンエアバッグ２９の車両前後方向の長さを、収納状態の車両前後方向長さよりも長くすることができる。またこのとき、カーテンエアバッグ２９に折曲部４５を形成して、この部分を衝撃吸収部材２７によって保持させることにより、カーテンエアバッグ２９全体を軟質なルーフトリム１５内に配置することができるため、カーテンエアバッグ２９をスムーズに膨張展開させることができる。
【符号の説明】
【００３４】
１    車両
１３    リアピラー
１５    ルーフトリム
２１    ピラートリム
２３    カーテンエアバッグ装置
２７    衝撃吸収部材
２９    カーテンエアバッグ
３１    インフレータ
３７    導入部
３９    フロントテザー
４１    リアテザー
４５    折曲部
４７    収容部
５９    開口
６１    保持爪
６３    規制部材
【図１】
0005522383.tif 000002
【図２】
0005522383.tif 000003
【図３】
0005522383.tif 000004
【図４】
0005522383.tif 000005
【図５】
0005522383.tif 000006